(57)【特許請求の範囲】
【請求項１】
第１調湿通路（３）と、第２調湿通路（２）と、上記第２調湿通路（２）を流れる空気から第１調湿通路（３）を流れる空気へ水分を移送する吸着ロータ（２１）と、上記第１調湿通路（３）において吸着ロータ（２１）よりも上流側に設けられた加熱手段（６）とを備えた調湿システムにおいて、
設置状態で、上記吸着ロータ（２１）の端面は水平面に対して０から４５度の角度をなし、
上記第１調湿通路（３）において加熱手段（６）よりも上流側の空気と、上記第２調湿通路（２）において吸着ロータ（２１）よりも下流側の空気との間で熱交換をする積層式顕熱熱交換器（３２）を設け、
上記第２調湿通路（２）において上記吸着ロータ（２１）よりも上流側に加熱手段（４１）を設け、
さらに、上記第２調湿通路（２）において上記積層式顕熱熱交換器（３２）をバイパスするバイパス通路（４２）を設け、
上記バイバス通路（４２）を開閉するダンパーと、上記積層式顕熱熱交換器（３２）の上記第２調湿通路（２）側の通路を開閉するダンパーとを設けた
ことを特徴とする調湿システム。
【請求項２】
請求項１に記載の調湿システムにおいて、
上記積層式顕熱熱交換器（３２）と上記バイパス通路（４２）とは、平面視においてほぼ同じ形状、大きさをしていることを特徴とする調湿システム。
【発明の詳細な説明】
【０００１】
【発明の属する技術分野】
この発明は、除湿システム、加湿システム、除加湿システム等の調湿システムに関する。
【０００２】
【従来の技術】
従来、除湿システムとしては、図６の横断面図に示すようなものがある。この除湿システムは、ケーシング１内を仕切り板で除湿通路２と再生通路３とに区画し、この除湿通路２に空気が矢印Ｘ方向に流れ、再生通路３に空気が矢印Ｙ方向に流れるようにしている。この除湿通路２と再生通路３とに、設置状態で、水平軸回りに回転する円板状の吸着ロータ５の各部が順次面するようにしている。上記吸着ロータ５は、例えば、シリカゲル、ゼオライト、アルミナ等の吸着材をハニカム状または多孔多粒状に成形してなり、流通する空気から水分を吸着する一方、加熱された空気に水分を放出する。そして、上記再生通路３の吸着ロータ５よりも上流側に加熱コイル６を設け、さらに、設置状態で、水平軸回りに回転する円板状の顕熱ロータ７の各部が、除湿通路２の吸着ロータ５よりも下流側の部分と再生通路３の加熱コイル６の上流側の部分とに順次面するようにしている。
【０００３】
そして、上記除湿通路２に入口１１から流入した外気ＯＡは、吸着ロータ５によって、水分が吸着されて除湿され、かつ、吸着熱により温度上昇させられ、さらに、顕熱ロータ７によって熱が奪われて、適切な温度になった除湿空気ＳＡが出口１２から室内に向けて供給される。一方、室内からの空気ＲＡが再生通路３に入口１３から流入して、顕熱ロータ７で予熱され、さらに、温水が供給される加熱コイル６によって加熱される。この加熱された空気によって、吸着ロータ５から水分が放出されて、吸着ロータ５が再生されて、水分を含んだ空気ＥＡが外部に放出される。
【０００４】
このように、除湿通路２を流れる空気から吸湿ロータ５で水分を再生通路３に移送して、除湿空気ＳＡを室内に供給するようにしている。
【０００５】
【発明が解決しようとする課題】
しかしながら、上記従来の除湿システムでは、図６，７に示すように、吸着ロータ５および顕熱ロータ７が水平軸回りに回転して、吸着ロータ５の端面５ａおよび顕熱ロータ７の端面７ａが鉛直方向になっているため、全体の高さが高くなって、戸建て住宅の１階の天井面と２階の床面との間に設置できないという問題がある。より詳しくは、１２５m2の床空間に一般に１５０m3の調和除湿空気の供給が必要であるが、この場合、吸着ロータ５の直径は３００mm以上必要になって、ケース１の部分を考えると、除湿システムの全高は３５０mm以上になる。しかし、戸建て住宅の１階の天井側の設置スペースの高さは一般に約２５０mmであるので、上記除湿システムを一般の戸建て住宅に設置できないという問題がある。
【０００６】
そこで、この発明の目的は、戸建て住宅等の狭い天井裏スペースであっても設置することができる調湿システムを提供することにある。
【０００７】
【課題を解決するための手段】
上記目的を達成するため、請求項１の発明の調湿システムは、
第１調湿通路と、第２調湿通路と、上記第２調湿通路を流れる空気から第１調湿通路を流れる空気へ水分を移送する吸着ロータと、上記第１調湿通路において吸着ロータよりも上流側に設けられた加熱手段とを備えた調湿システムにおいて、
設置状態で、上記吸着ロータの端面は水平面に対して０から４５度の角度をなし、
上記第１調湿通路において加熱手段よりも上流側の空気と、上記第２調湿通路において吸着ロータよりも下流側の空気との間で熱交換をする積層式顕熱熱交換器を設け、
上記第２調湿通路において上記吸着ロータよりも上流側に加熱手段を設け、
さらに、上記第２調湿通路において上記積層式顕熱熱交換器をバイパスするバイパス通路を設け、
上記バイバス通路を開閉するダンパーと、上記積層式顕熱熱交換器の上記第２調湿通路側の通路を開閉するダンパーとを設けた
ことを特徴としている。
【０００８】
上記構成によれば、上記吸着ロータの端面は水平面に対して、０から４５度の傾きで傾斜しているので、吸着ロータの高さが低くなり、ひいては、調湿システムの高さが低くなって、戸建て住宅の狭い天井裏スペースにも設置できるようになる。
【０００９】
また、この調湿システムは天井または床から突出することがないから、室内の美観を損なわない。
【００１０】
上記吸着ロータの端面を水平面に対して４５度近傍に傾けた場合には、調湿システムの高さはある程度高くなるが、幅が狭くなる。吸着ロータの端面を水平にすると、高さは最も低くなる。
また、上記積層式顕熱熱交換器によって、第１調湿通路において加熱手段よりも上流側の空気と、上記第２調湿通路において加湿ロータよりも下流側の空気との間で熱交換をして、熱を回収して予熱に使用することができる。しかも、この積層式顕熱熱交換器は高さが低いので、この除湿システムは戸建て住宅の低い天井裏スペースでも設置できる。
さらに、上記第２調湿通路において上記吸着ロータよりも上流側に加熱手段を設け、上記第２調湿通路において上記積層式顕熱熱交換器をバイパスするバイパス通路を設け、上記バイバス通路を開閉するダンパーと、上記積層式顕熱熱交換器の上記第２調湿通路側の通路を開閉するダンパーとを設けたので、上記両ダンパーを制御して、上記バイパス通路と上記積層式顕熱熱交換器の上記第２調湿通路側の通路とを開閉することによって、コンパクトな構造で、除湿と加湿とを選択的に行うことができる。
また、１実施形態では、上記積層式顕熱熱交換器と上記バイパス通路とは、平面視においてほぼ同じ形状、大きさをしている。
上記実施形態によれば、上記積層式顕熱熱交換器と上記バイパス通路とが、平面視においてほぼ同じ形状、大きさをしているので、さらに、薄型、コンパクトになる。
【００１１】
なお、調湿システムとは、除湿システム、加湿システムおよび除加湿システムを総称する言葉である。除湿システムでは、第１調湿通路は再生通路となり、第２調湿通路は除湿通路となり、加湿システムでは、第１調湿通路は加湿通路となり、第２調湿通路は吸湿通路となる。
【００１２】
【００１３】
【００１４】
【００１５】
【００１６】
【００１７】
【００１８】
【００１９】
【００２０】
【００２１】
【００２２】
【００２３】
【発明の実施の形態】
以下、この発明を図示の実施の形態により詳細に説明する。
【００２４】
まず、この発明の説明の便宜上、参考例について説明する。図１，２に示すように、この調湿システムの一例としての除湿システムは、円板状の吸着ロータ２１と円板状の顕熱ロータ２２とがそれぞれ設置状態で鉛直軸の回りに回転し、端面２１ａ，２２ａが略水平になっている点が図６，７に示す従来例との主な相異点である。したがって、図６，７に示す従来例の構成部と同一構成部は同一参照番号を付して説明を省略し、異なる点を主に以下に説明する。
【００２５】
図１，２に示すように、第２調湿通路としての除湿通路２に入口１１から流入した外気ＯＡは、図２に示す吸着ロータ２１の上端面２１ａから吸着ロータ２１内に流入し、下端面２１ｂから流出し、吸着ロータ２１によって水分が吸着されて乾燥し、かつ、吸着ロータ２１の吸着熱によって温度が上昇した除湿空気が顕熱ロータ２２の上端面２２ａから顕熱ロータ２２内に流入する。この顕熱ロータ２２によって、上記除湿空気の顕熱が奪われて適切な温度になり、かつ、顕熱ロータ２２が加熱される。このようにして、除湿され、かつ、適切な温度になった除湿空気ＳＡが出口１２から室内に向けて供給される。
【００２６】
なお、図2に示すように、空気が吸着ロータ２１に上端面２１ａから流入して下端面２１ｂから流出し、また、空気が顕熱ロータ２２に上端面２２ａから流入して下端面２２ｂに流出するように仕切壁２５，２６を設けている。
【００２７】
一方、室内からの空気ＲＡが第１調湿通路としての再生通路３に入口１３から流入して、顕熱ロータ２２で予熱され、さらに、温水が供給される加熱コイル６によって加熱される。この加熱された空気によって、吸着ロータ５から水分が放出されて、吸着ロータ５が再生されて、水分を含んだ空気ＥＡが外部に放出される。
【００２８】
このように、除湿通路２を流れる空気から吸湿ロータ２１で水分を再生通路３に移送して、除湿空気ＳＡを室内に供給するようにしている。
【００２９】
この除湿システムでは、設置状態において、吸着ロータ２１および顕熱ロータ２２の回転軸を鉛直に配置し、それらの端面２１ａ，２１ｂ，２２ａ，２２ｂが略水平をなすようにしている。つまり、円板状の吸着ロータ２１および円板状の顕熱ロータ２２の端面２１ａ，２１ｂ，２２ａ，２２ｂがケーシング２０の水平な底面と平行になっている。したがって、吸着ロータ２１および顕熱ロータ２２の高さが低くなり、ひいては、ケーシング２０の高さが低くなる。したがって、この除湿システムは戸建て住宅の高さの低い天井裏スペースにも設置できる。
【００３０】
また、この除湿システムは天井または床から突出することがないから、室内の美観を損なわない。
【００３１】
上記参考例では、吸着ロータ２１および顕熱ロータ２２を共に端面が設置状態で略水平になるように配置したが、幅を狭くする必要があるときには、吸着ロータ２１および顕熱ロータ２２の両方または片方を必要に応じて、それらの端面を水平面に対して0度から４５度の範囲で傾ければよい。そうすれば、高さを所望の程度低くできる上に、幅も所望の程度狭くできる。
【００３２】
図３，４に示す参考例は、顕熱ロータに代えて積層式顕熱熱交換器３２を用いた点が、図１，２に示す参考例と主に異なる。したがって、図1，２に示す参考例と同一構成部は同一参照番号を付して説明を省略し、異なる点を主に以下に説明する。
【００３３】
上記積層式顕熱熱交換器３２は、直交する方向の扁平な通路が複数積層されて、両通路を流れる空気の間で顕熱の差を利用して熱交換を行うもので、扁平な通路を積層しているため、高さが低くなっている。したがって、この除湿システムは、吸着ロータ２１が水平で高さが低いことと、積層式顕熱熱交換器３２の高さが低いこととが相俟って、全体に亘って高さが低くなって、戸建て住宅の狭い天井裏スペースにも設置できる。
【００３４】
この除湿システムは、図３，4に示すように、除湿通路２において吸着ロータ２１によって水分が吸着されて乾燥し、かつ、吸着ロータ２１の吸着熱によって温度が上昇した除湿空気が積層式顕熱熱交換器３２に流入する。この積層式顕熱熱交換器３２によって、上記除湿空気の顕熱が奪われて適切な温度になる。このようにして、除湿され、かつ、適切な温度になった除湿空気ＳＡが出口１２から室内に向けて供給される。
【００３５】
一方、室内からの空気ＲＡが再生通路３に入口１３から流入して、積層式顕熱熱交換器３２で予熱され、さらに、加熱コイル６によって加熱される。この加熱された空気によって、吸着ロータ５から水分が放出され、吸着ロータ５が再生され、水分を含んだ空気ＥＡが外部に放出される。
【００３６】
この除湿システムは、水平な吸着ロータ２１および高さの低い積層式顕熱熱交換器３２を用いているので、高さが低くなって、戸建て住宅の高さの低い天井裏スペースにも設置できる。
【００３７】
なお、上記積層式顕熱熱交換器３２は、その内部において熱交換する空気が直交する方向に流れるので、出口１２、入口１３の配置が、図１，２に示す実施形態の出口１２、入口１３の配置とは逆になっている。
【００３８】
図５は調湿システムである除加湿システムの実施形態を示し、この除加湿システムの実施形態は、図３，４に示す参考例とは、除湿通路２において、吸着ロータ２１の上流側に加湿時に動作する加熱手段の一例としての加熱コイル４１を設け、さらに、積層式顕熱熱交換器３２をバイパスするバイパス通路４２を設け、このバイパス通路４２および積層式顕熱熱交換器３２の除湿通路２側の通路を開閉する図示しないバンパーを設けた点が図３，４に示す参考例と異なる。したがって、図３，４に示す参考例の構成部と同一構成部は同一参照番号を付して説明を省略し、異なる点を主に以下に説明する。
【００３９】
この除加湿システムを、図３，４に示す参考例と同様に、高さが低くて、戸建て住宅の高さの低い天井裏スペースにも設置できる。
【００４０】
この除加湿システムを除湿システムとして動作させるときは、加熱コイル４１への温水等の熱媒の供給を停止して、加熱コイル４１の動作を停止し、バイパス通路４２を閉鎖する。この場合、図３，４に示す参考例と全く同様に機能して除湿をおこなって除湿空気ＳＡを室内に送ることができる。
【００４１】
この除加湿システムを、加湿システムとして動作させるときには、図３，４の参考例では、除湿通路２として機能していた第２調湿通路２は加湿通路２として機能し、再生通路３として機能していた第１調湿通路３は吸湿通路３として機能する。加湿時には、加湿通路２の加熱コイル４１の運転を行い、吸湿通路３の加熱コイル６の運転を停止し、図示しないダンパーで、バイパス通路４２を開放する一方、積層式顕熱熱交換器３２の加湿通路２に面する部分を閉鎖する。
【００４２】
そうすると、上記加湿通路２の加熱コイル４１で加熱された高温の空気は、吸着ロータ２１から水分を吸収して、加湿空気となり、この加湿空気は、バイパス通路４２を通って、積層式顕熱熱交換器３２を通らなくて熱交換することなく、したがって、熱損失をすることなく、高温の加湿空気ＳＡが室内に供給される。
【００４３】
一方、室内からの空気ＲＡは、加湿通路２側が図示しないダンパーで閉鎖された積層式顕熱熱交換器３２の吸湿通路３側を熱交換することなく通り、さらに、運転を停止している加熱コイル６を通り、吸着ロータ２１に水分が吸収されて、排気ＥＡとして外に放出される。この水分を吸収した吸着ロータ２１の部分は、加湿通路２において水分を放出する。
【００４４】
図５に示す実施形態において、設置状態で、吸湿ロータ２１を水平に配置しているが、高さと幅の要求に応じて、吸着ロータ２１の端面を水平面に対して０度から４５度の範囲に傾けて、高さと幅を戸建て住宅の要求に合致するようにしてもよい。
【００４５】
【００４６】
【００４７】
【００４８】
【００４９】
【発明の効果】
以上より明らかなように、請求項１の発明の調湿システムは、設置状態で、吸着ロータの端面が水平面に対して０から４５度の傾きで傾斜しているので、吸着ロータの高さが低くなり、ひいては、全体の高さが低くなって、戸建て住宅の狭い天井裏スペースにも設置できる。また、この調湿システムは天井または床から突出することがないから、室内の美観を損なわない。
【００５０】
【００５１】
【００５２】
【００５３】
この発明の調湿システムは、熱回収用に高さが低い積層式顕熱熱交換器を用いているので、戸建て住宅の低い天井裏スペースでも設置できる。また、この調湿システムは室内に突出することがないから、室内の美観を損なわない。
【００５４】
【図面の簡単な説明】
【図１】  この発明の参考例の除湿システムの横断面図である。
【図２】  図１のI−II断面図である。
【図３】  他の参考例の横断面図である。
【図４】  図３のIV−IV線断面図である。
【図５】  この発明の実施形態の除加湿システムの斜視図である。
【図６】  従来の除湿システムの横断面図である。
【図７】  従来の除湿システムの斜視図である。
【符号の説明】
１，２０    ケーシング
２    除湿通路
３    再生通路
５，２１    吸着ロータ
６，４１    加熱コイル
７    顕熱ロータ
３２    積層式顕熱熱交換器
４２    バイパス通路
【図１】
0003711833.tif 000002
【図２】
0003711833.tif 000003
【図３】
0003711833.tif 000004
【図４】
0003711833.tif 000005
【図５】
0003711833.tif 000006
【図６】
0003711833.tif 000007
【図７】
0003711833.tif 000008